(57)【要約】【課題】地図の縮尺を変更する操作、あるいは案内経路に沿って繰り返すタッチ操作を行うことなく、表示された地図を案内経路に沿ってスクロール表示させる。【解決手段】地図情報、案内経路の情報および移動体の現在位置情報に基づいて、表示画面の地図表示領域に地図情報および案内経路の情報を表示させる地図表示制御部１０２と、案内経路の情報に基づいて、表示画面の簡易図表示領域に案内経路を直線状に示した簡易図を表示させる簡易図表示制御部１０３と、簡易図に対して、地図表示領域に表示された地図情報を移動させる操作が入力された場合に、当該操作に連動させて、地図表示領域に表示された地図情報を案内経路に沿ってスクロール表示させる更新情報を生成する表示情報更新部１０５とを備え、地図表示制御部１０２は、表示情報更新部１０５が生成した更新情報に基づいて、地図表示領域に表示された地図情報の表示を更新して表示させる。【選択図】図１
2017181547.tif 000002
【特許請求の範囲】
【請求項１】
地図情報、案内経路の情報および移動体の現在位置情報に基づいて、表示画面の地図表示領域に前記地図情報および前記案内経路の情報を表示させる地図表示制御部と、
前記案内経路の情報に基づいて、前記表示画面の簡易図表示領域に前記案内経路を直線状に示した簡易図を表示させる簡易図表示制御部と、
前記簡易図に対して、前記地図表示領域に表示された地図情報を移動させる操作が入力された場合に、当該操作に連動させて、前記地図表示領域に表示された地図情報を前記案内経路に沿ってスクロール表示させる更新情報を生成する表示情報更新部とを備え、
前記地図表示制御部は、前記表示情報更新部が生成した更新情報に基づいて、前記地図表示領域に表示された地図情報の表示を更新して表示させる表示制御装置。
【請求項２】
前記表示情報更新部は、前記簡易図に対して、前記地図表示領域に表示された地図情報を移動させる操作が入力されない場合に、前記移動体の現在位置情報に基づいて、前記移動体の移動に応じて前記地図表示領域に表示された地図情報を前記案内経路に沿って移動させる更新情報を生成することを特徴とする請求項１記載の表示制御情報。
【請求項３】
前記案内経路の情報は、前記案内経路上の複数の地点の位置を示す位置情報を含み、
前記簡易図表示制御部は、前記案内経路の情報に含まれる位置情報を、前記簡易図上の対応する位置に付加し、当該付加した位置情報に基づいて前記地図表示領域に表示された地図情報を移動させる操作を受け付ける指標を表示させることを特徴とする請求項１または請求項２記載の表示制御装置。
【請求項４】
前記案内経路の情報に基づいて、前記案内経路に関する付帯情報を取得する情報取得部を備え、
前記簡易図表示制御部は、前記簡易図に付加した位置情報を参照して、前記情報取得部が取得した前記付帯情報を、前記簡易図の対応する位置に表示させることを特徴とする請求項３記載の表示制御装置。
【請求項５】
前記簡易図表示制御部は、前記付帯情報を選択する操作に応じて、選択された前記付帯情報の詳細を表示させることを特徴とする請求項４記載の表示制御装置。
【請求項６】
前記情報取得部は、前記付帯情報の取得要求を生成し、
前記情報取得部が生成した前記取得要求をサーバ装置に送信する情報取得要求送信部と、前記情報取得要求送信部が送信した取得要求に基づいて、前記サーバ装置で検索された検索情報を受信する検索情報受信部とを備えたことを特徴とする請求項４または請求項５記載の表示制御装置。
【請求項７】
地図情報、案内経路の情報および移動体の現在位置情報に基づいて、表示画面の地図表示領域に前記地図情報および前記案内経路の情報を表示させる地図表示制御手順と、
前記案内経路の情報に基づいて、前記表示画面の簡易図表示領域に前記案内経路を直線状に示した簡易図を表示させる簡易図表示制御手順と、
前記簡易図に対して、前記地図表示領域に表示された地図情報を移動させる操作が入力された場合に、当該操作に連動させて、前記地図表示領域に表示された地図情報を前記案内経路に沿ってスクロール表示させる更新情報を生成する表示情報更新手順とを備え、
前記更新情報に基づいて、前記地図表示領域に表示された地図情報の表示を更新して表示させる更新表示手順とをコンピュータに実行させるための表示制御プログラム。
【発明の詳細な説明】
【技術分野】
【０００１】
この発明は、案内経路の表示を制御する技術に関するものである。
【背景技術】
【０００２】
従来、ナビゲーション装置の表示画面に、案内経路の出発地や目的地等の位置関係を示す簡易図形を表示する技術が提案されている。例えば、特許文献１に記載されたナビゲーション装置は、表示画面の下辺に沿って左右に延在するように簡易図であるステータスバーが表示されている。当該ステータスバーには、設定された出発地、目的地、自車位置および後席側で変更された経由地が表示される。また、自車位置を示すアイコンが、自車両の進行に伴ってステータスバーの案内経路表示上を移動するように表示され、案内経路上における自車両の位置または経由地の位置の目安を認識することができる。
【先行技術文献】
【特許文献】
【０００３】
【特許文献１】特開２００８−１７０２０６号公報
【発明の概要】
【発明が解決しようとする課題】
【０００４】
案内経路に従って走行している際に、出発地あるいは自車位置から経由地あるいは目的地までの案内経路を地図上で確認したい場合がある。上記特許文献１に記載されたナビゲーション装置では、ステータスバーが表示されている場合、出発地から目的地までの案内経路を当該ステータスバー上で確認することはできる。しかし、案内経路を地図上で確認する場合には、地図の縮尺を変更する操作により地図全体を表示したり、タッチパネルに表示された地図上で案内経路に沿ってタッチ操作を何回も繰り返すことにより、地図を移動させたりする必要があるという課題があった。
【０００５】
この発明は、上記のような課題を解決するためになされたもので、地図の縮尺を変更する操作を行うことなく、あるいは案内経路に沿ってタッチ操作を何回も繰り返すことなく、表示された地図を案内経路に沿ってスクロール表示させることを目的とする。
【課題を解決するための手段】
【０００６】
この発明に係る表示制御装置は、地図情報、案内経路の情報および移動体の現在位置情報に基づいて、表示画面の地図表示領域に地図情報および案内経路の情報を表示させる地図表示制御部と、案内経路の情報に基づいて、表示画面の簡易図表示領域に案内経路を直線状に示した簡易図を表示させる簡易図表示制御部と、簡易図に対して、地図表示領域に表示された地図情報を移動させる操作が入力された場合に、当該操作に連動させて、地図表示領域に表示された地図情報を案内経路に沿ってスクロール表示させる更新情報を生成する表示情報更新部とを備え、地図表示制御部は、表示情報更新部が生成した更新情報に基づいて、地図表示領域に表示された地図情報の表示を更新して表示させるものである。
【発明の効果】
【０００７】
この発明によれば、簡易図を操作することにより、表示された地図を案内経路に沿ってスクロール表示させることができる。従って、地図の縮尺を変更する操作を行うことなく、あるいは案内経路に沿ってタッチ操作を何回も繰り返すことなく、地図上で案内経路を確認することができる。
【図面の簡単な説明】
【０００８】
【図１】実施の形態１に係る表示制御装置の構成を示す図である。
【図２】実施の形態１に係る表示制御装置のハードウェア構成例を示す図である。
【図３】実施の形態１に係る表示制御装置の動作を示すフローチャートである。
【図４】図４Ａおよび図４Ｂは、実施の形態１に係る表示制御装置の制御情報に基づいたディスプレイの表示例を示す図である。
【図５】実施の形態１に係る表示制御装置のユーザ操作の他の入力例を示す図である。
【図６】実施の形態２に係る表示制御装置の構成を示すブロック図である。
【図７】図７Ａおよび図７Ｂは、実施の形態２に係る表示制御装置の制御情報に基づいたディスプレイの表示例を示す図である。
【図８】図８Ａおよび図８Ｂは、実施の形態２に係る表示制御装置の制御情報に基づいたディスプレイの表示例を示す図である。
【図９Ａ】実施の形態２に係る表示制御装置の動作を示すフローチャートである。
【図９Ｂ】実施の形態２に係る表示制御装置の動作を示すフローチャートである。
【図１０】実施の形態２に係る表示制御装置のその他の構成例を示すブロック図である。
【図１１】実施の形態３に係る表示制御システムの構成を示すブロック図である。
【図１２】実施の形態３に係る表示制御装置のハードウェア構成例を示す図である。
【図１３】実施の形態３に係る表示制御システムのサーバ装置の動作示すフローチャートである。
【発明を実施するための形態】
【０００９】
実施の形態１．
図１は、この発明の実施の形態１に係る表示制御装置１００の構成を示す図である。
表示制御装置１００は、ナビゲーション情報取得部１０１、地図表示制御部１０２、簡易図表示制御部１０３、操作情報取得部１０４および表示情報更新部１０５を備えて構成される。
ナビゲーション情報取得部１０１は、ディスプレイ３００に表示する地図情報と、ユーザ操作により設定された案内経路の情報と、車両等の移動体の現在位置を示す情報とを、ナビゲーション装置２００から取得する。地図情報には、地図上の各地点および施設等の緯度経度を示す位置情報が含まれている。また、案内経路の情報には、案内経路を示す角ノードおよびリンクに関する情報が含まれている。
地図表示制御部１０２は、ナビゲーション情報取得部１０１が取得した地図情報と、案内経路の情報と、移動体の現在位置を示す情報とに基づいて、ディスプレイ３００の地図表示領域に地図情報および案内経路を表示させる制御情報を生成する。
【００１０】
簡易図表示制御部１０３は、ナビゲーション情報取得部１０１が取得した案内経路の情報に基づいて、ディスプレイ３００の簡易図表示領域に、案内経路全体を直線状の簡易図（以下、スクロールバーという）で表示させる制御情報を生成する。簡易図表示制御部１０３は、案内経路全体の経路長を、スクロールバーの長さに対応させて縮小させる。また、簡易図表示制御部１０３は、経路長の縮小率を考慮して、案内経路上の各ノードの位置情報を、スクロールバーの長手方向における対応する位置に付加する。さらに、簡易図表示制御部１０３は、地図表示領域に表示された地図情報がスクロールバーにおけるどの位置に対応する地点の地図かを示す指標（以下、カーソルという）を、例えばスクロールバー上あるいはスクロールバー周辺に重畳表示させる。簡易図表示制御部１０３は、スクロールバーに付加された位置情報を用いて、ナビゲーション情報取得部１０１が取得した移動体の現在位置を示す情報または後述する操作情報取得部１０４が取得した操作情報によって指定されるスクロールバー上の位置にカーソルを表示する。
なお、上述した案内経路上の各ノードの位置情報、およびスクロールバーに付加された位置情報は、いずれも緯度経度などで表示された情報であり、ディスプレイ３００の地図表示領域に表示する地図情報に含まれる位置情報と対応付けることが可能である。また、スクロールバーは、上述した直線状の簡易図以外にも、帯状の簡易図であってもよい。
【００１１】
操作情報取得部１０４は、例えば、タッチパネル等の入力受付装置４００等を介して、カーソルをスクロールバー上で移動させるユーザ操作等を受け付ける。操作情報取得部１０４は、カーソルおよびスクロールバーのディスプレイ３００上の表示座標情報とスクロールバーに付加された位置情報等を参照して、受け付けたユーザ操作の移動軌跡を示す位置情報を取得する。操作情報取得部１０４は、ユーザ操作の移動軌跡を示す位置情報を表示情報更新部１０５に出力する。
【００１２】
表示情報更新部１０５は、操作情報取得部１０４から出力されたユーザ操作の移動軌跡を示す位置情報を用いて、当該ユーザ操作に連動させて、ディスプレイ３００の地図表示領域に表示される地図情報を、案内経路に沿ってスクロール表示させる更新情報を生成する。また、表示情報更新部１０５は、ユーザ操作の移動軌跡を示す位置情報を用いて、当該ユーザ操作に連動させて、ディスプレイ３００の簡易図表示領域に表示されるカーソルを、スクロールバーに沿って移動させる更新情報を生成する。
【００１３】
上述した表示制御装置１００は、車載機器など移動体に搭載させる機器、および携帯端末等移動体が保有する機器および端末等に適用することができる。また、移動体は、車両に限定されるものではない。
【００１４】
表示制御装置１００に接続されたナビゲーション装置２００は、地図情報に基づいて移動体の現在位置を検出し、現在位置または出発地から目的地までの案内経路を検索し、地図情報、案内経路の情報、案内地点に関する情報等を表示させるものである。
【００１５】
次に、表示制御装置１００のハードウェア構成例を説明する。
図２は、実施の形態１に係る表示制御装置１００のハードウェア構成例を示す図である。
図２に示すように、ナビゲーション情報取得部１０１、地図表示制御部１０２、簡易図表示制御部１０３、操作情報取得部１０４および表示情報更新部１０５は、処理回路により実現される。すなわち、ナビゲーション情報取得部１０１、地図表示制御部１０２、簡易図表示制御部１０３、操作情報取得部１０４および表示情報更新部１０５は、ディスプレイ３００の地図表示領域に地図情報および案内経路の情報を表示させ、簡易図表示領域にスクロールバーおよびカーソルを表示させ、カーソルをスクロールバー上で移動させるユーザ操作に連動させて地図表示領域に表示された地図情報を案内経路に沿ってスクロール表示させる処理回路を備える。
【００１６】
処理回路が専用のハードウェアである場合、処理回路は、例えば、単一回路、複合回路、プログラム化したプロセッサ、並列プログラム化したプロセッサ、ＡＳＩＣ（Application Specific Integrated Circuit），ＦＰＧＡ（Field-Programmable Gate Array）、またはこれらを組み合わせたものが該当する。ナビゲーション情報取得部１０１、地図表示制御部１０２、簡易図表示制御部１０３、操作情報取得部１０４および表示情報更新部１０５の各部の機能それぞれを処理回路で実現してもよいし、各部の機能をまとめて処理回路で実現してもよい。
【００１７】
処理回路がＣＰＵ（Central Processing Unit）の場合、処理回路は図２に示すメモリ１２０に格納されるプログラムを実行するＣＰＵ１１０である。ナビゲーション情報取得部１０１、地図表示制御部１０２、簡易図表示制御部１０３、操作情報取得部１０４および表示情報更新部１０５の機能は、ソフトウェア、ファームウェア、またはソフトウェアとファームウェアとの組み合わせにより実現される。ソフトウェアまたはファームウェアはプログラムとして記述され、メモリ１２０に格納される。ＣＰＵ１１０は、メモリ１２０に記憶されたプログラムを読み出して実行することにより、ナビゲーション情報取得部１０１、地図表示制御部１０２、簡易図表示制御部１０３、操作情報取得部１０４および表示情報更新部１０５の各機能を実現する。即ち、ナビゲーション情報取得部１０１、地図表示制御部１０２、簡易図表示制御部１０３、操作情報取得部１０４および表示情報更新部１０５は、ＣＰＵ１１０により実行されるときに、後述する図３に示す各ステップが結果的に実行されることになるプログラムを格納するためのメモリ１２０を備える。また、これらのプログラムは、ナビゲーション情報取得部１０１、地図表示制御部１０２、簡易図表示制御部１０３、操作情報取得部１０４および表示情報更新部１０５の手順または方法をコンピュータに実行させるものであるともいえる。
【００１８】
ここで、ＣＰＵ１１０は、例えば、中央処理装置、処理装置、演算装置、プロセッサ、マイクロプロセッサ、マイクロコンピュータ、またはＤＳＰ（Digital Signal Processor）などのことである。
メモリ１２０は、例えば、ＲＡＭ（Random Access Memory）、ＲＯＭ（Read Only Memory）、フラッシュメモリ、ＥＰＲＯＭ（Erasable Programmable ROM）、ＥＥＰＲＯＭ（Electrically EPROM）等の不揮発性または揮発性の半導体メモリであってもよいし、ハードディスク、フレキシブルディスク等の磁気ディスクであってもよいし、ミニディスク、ＣＤ（Compact Disc）、ＤＶＤ（Digital Versatile Disc）等の光ディスクであってもよい。
【００１９】
次に、表示制御装置１００の動作について説明する。
図３は、実施の形態１に係る表示制御装置１００の動作を示すフローチャートである。
ナビゲーション情報取得部１０１は、ナビゲーション装置２００から地図情報、案内経路の情報および移動体の現在位置情報を取得すると（ステップＳＴ１）、案内経路が設定されているか否か判定を行う（ステップＳＴ２）。案内経路が設定されていない場合（ステップＳＴ２；ＮＯ）、ナビゲーション情報取得部１０１はステップＳＴ１の処理に戻る。一方、案内経路が設定されている場合（ステップＳＴ２；ＹＥＳ）、ナビゲーション情報取得部１０１は、取得した地図情報、案内経路の情報、および移動体の現在位置を示す情報を地図表示制御部１０２に出力し、取得した案内経路の情報、および移動体の現在位置を示す情報を簡易図表示制御部１０３に出力する（ステップＳＴ３）。
【００２０】
地図表示制御部１０２は、ステップＳＴ３で出力された地図情報、案内経路の情報および移動体の現在位置を示す情報を用いて、ディスプレイ３００の地図表示領域に移動体の現在位置を基点とした地図情報を表示させ、当該地図情報に案内経路の情報を重畳表示させる制御情報を生成する（ステップＳＴ４）。ステップＳＴ４で生成された制御情報に基づいて、ディスプレイ３００の地図表示領域には、地図情報および案内経路の情報が表示される。ステップＳＴ４では、移動体の現在位置を基点とした地図情報を表示する場合を示したが、基点とする地点は任意に設定可能であり、例えば案内経路の出発地を基点としてもよい。
【００２１】
簡易図表示制御部１０３は、ステップＳＴ３で出力された案内経路の情報および移動体の現在位置を示す情報を用いて、出発地から目的地までの案内経路全体を示すスクロールバーと、当該スクロールバー上に重畳表示するカーソルを生成する（ステップＳＴ５）。ステップＳＴ５で生成されるカーソルには、ステップＳＴ４で地図情報を表示する際に基点とした地点の位置情報が付加されるものとする。簡易図表示制御部１０３は、ステップＳＴ５で生成したスクロールバーとカーソルを、ディスプレイ３００の簡易図表示領域に表示させる制御情報を生成する（ステップＳＴ６）。ステップＳＴ６で生成された制御情報に基づいて、ディスプレイ３００の簡易図表示領域には、スクロールバーおよびカーソルが表示される。
【００２２】
操作情報取得部１０４は、入力受付装置４００を介してカーソルを移動させるユーザ操作が入力されたか否か判定を行う（ステップＳＴ７）。カーソルを移動させるユーザ操作が入力されている場合（ステップＳＴ７；ＹＥＳ）、操作情報取得部１０４は、スクロールバーに付加された位置情報等を参照し、ユーザ操作の移動軌跡を示す位置情報を取得して表示情報更新部１０５に出力する（ステップＳＴ８）。
【００２３】
表示情報更新部１０５は、ステップＳＴ８で取得されたユーザ操作の移動軌跡を示す位置情報に基づいて、ディスプレイ３００の地図表示領域に表示された地図情報を、案内経路に沿ってスクロール表示させる更新情報を生成する（ステップＳＴ９）。また、表示情報更新部１０５は、ステップＳＴ８で取得されたユーザ操作の移動軌跡を示す位置情報に基づいて、カーソルをスクロールバー上で移動させる更新情報を生成する（ステップＳＴ１０）。なお、表示情報更新部１０５は、ユーザ操作に連動して、随時、地図をスクロール表示させる更新情報およびカーソルを移動させる更新情報を生成する。
【００２４】
一方、カーソルを移動させるユーザ操作が入力されていない場合（ステップＳＴ７；ＮＯ）、操作情報取得部１０４はカーソルを移動させるユーザ操作が入力されていないことを表示情報更新部１０５に通知する（ステップＳＴ１１）。表示情報更新部１０５は、ステップＳＴ１１の通知に基づいて、ナビゲーション情報取得部１０１が取得した移動体の現在位置に基づいて、ディスプレイ３００の地図表示領域に表示された地図情報を、案内経路に沿って表示させる更新情報を生成する（ステップＳＴ１２）。また、表示情報更新部１０５は、ステップＳＴ１１の通知に基づいて、ナビゲーション情報取得部１０１が取得した移動体の現在位置に基づいて、カーソルをスクロールバー上で移動させる更新情報を生成する（ステップＳＴ１３）。
【００２５】
地図表示制御部１０２は、ステップＳＴ９またはステップＳＴ１２で生成された更新情報に基づいて、ディスプレイ３００の地図表示領域に表示された地図情報および案内経路の情報を更新して表示させる制御情報を生成し、ディスプレイ３００に出力する（ステップＳＴ１４）。同様に、簡易図表示制御部１０３は、ステップＳＴ１０またはステップＳＴ１３で生成された更新情報に基づいて、ディスプレイ３００の簡易図表示領域に表示されたスクロールバー上のカーソルの表示位置を更新して表示させる制御情報を生成し、ディスプレイ３００に出力する（ステップＳＴ１５）。その後、フローはステップＳＴ７の処理に戻り、上述した処理を繰り返す。
【００２６】
上述した図３のフローチャートで示した表示制御装置１００の動作を、図４の表示例を参照しながら説明する。
図４Ａおよび図４Ｂは、実施の形態１に係る表示制御装置１００の制御情報に基づいたディスプレイ３００の表示例を示す図である。
図４Ａは、ステップＳＴ１からステップＳＴ６の処理が行われ、ディスプレイ３００の地図表示領域３０１に地図情報３０１ａ、案内経路の情報３０１ｂおよび移動体の現在位置３０１ｃが表示され、ディスプレイ３００の簡易図表示領域３０２にスクロールバー３０２ａおよびカーソル３０２ｂが表示された状態を示している。また、入力受付装置４００はディスプレイ３００上のタッチパネルであるものとする。
【００２７】
ステップＳＴ１として、ナビゲーション情報取得部１０１は、ディスプレイ３００の地図表示領域３０１に表示する情報として、地図情報３０１ａおよび案内経路の情報３０１ｂ、移動体の現在位置３０１ｃを示す情報を取得する。
図４Ａに示したように案内経路の情報３０１ｂが設定されていることから、ステップＳＴ２としてナビゲーション情報取得部１０１は案内経路が設定されていると判定する（ステップＳＴ２；ＹＥＳ）。ステップＳＴ３として、ナビゲーション情報取得部１０１は、取得した地図情報３０１ａ、案内経路の情報３０１ｂおよび移動体の現在位置３０１ｃを示す情報を地図表示制御部１０２に出力し、ディスプレイ３００に出力する簡易図表示制御部１０３に出力する。
【００２８】
地図情報３０１ａは、ナビゲーション装置２００が地図情報を表示させるために必要な情報で構成されている。また、案内経路の情報３０１ｂは、ナビゲーション装置２００で検索された案内経路の出発地と目的地を示す情報、出発地と目的地とを結ぶ経路がノードおよびリンク等によって表現された情報等で構成されている。
【００２９】
ステップＳＴ４として、地図表示制御部１０２は、移動体の現在位置３０１ｃを基点とした地図情報３０１ａと案内経路の情報３０１ｂを、ディスプレイ３００の地図表示領域３０１に表示させる制御情報を生成する。これにより、図４Ａに示すようにディスプレイ３００の地図表示領域３０１に各情報が表示される。
【００３０】
ステップＳＴ５として、簡易図表示制御部１０３は、設定された出発地から目的地までの案内経路全体を示すスクロールバー３０２ａを生成し、当該スクロールバー３０２ａ上の移動体の現在位置３０１ｃに相当する位置に表示されるようにカーソル３０２ｂを生成する。また、図４Ａおよび図４Ｂの例では、簡易図表示制御部１０３は、スクロールバー３０２ａの両端に、出発地および目的地の方向を示す表示領域３０２ｃ，３０２ｄを生成する。図４Ａの例では、カーソル３０２ｂが指し示すスクロールバー３０２ａ上の位置に付加された位置情報に対応した地図情報３０１ａが、地図表示領域３０１に表示されている。
【００３１】
ステップＳＴ６として、簡易図表示制御部１０３は、スクロールバー３０２ａとカーソル３０２ｂを、ディスプレイ３００の簡易図表示領域３０２に表示させる制御情報を生成する。これにより、図４Ａに示すようにディスプレイ３００の簡易図表示領域３０２に各種情報が表示される。
【００３２】
図４Ｂは、入力受付装置４００を介してカーソル３０２ｂを移動させるユーザ操作が入力された状態を示している。
図４Ｂに示すように、カーソル３０２ｂが位置Ａから位置Ｂに移動されると、ステップＳＴ７として、操作情報取得部１０４はカーソル３０２ｂを移動させるユーザ操作（図４Ｂの４０１は、ディスプレイ３００へのタッチ操作によりカーソル３０２ｂを移動中のユーザの指を示したものである）が入力されたと判定する（ステップＳＴ７；ＹＥＳ）。
ステップＳＴ８として、操作情報取得部１０４は、スクロールバー３０２ａの位置Ａから位置Ｂに付加された位置情報を参照し、位置Ａから位置Ｂまでのユーザ操作の移動軌跡を示す位置情報を取得する。
【００３３】
ステップＳＴ９として、表示情報更新部１０５は、ユーザ操作の移動軌跡を示す位置情報に基づいて、ディスプレイ３００の地図表示領域３０１に表示された地図情報３０１ａを、案内経路の情報３０１ｂに沿ってスクロール表示させる更新情報を生成する。
ステップＳＴ１０として、表示情報更新部１０５は、ユーザ操作の移動軌跡を示す位置情報に基づいて、スクロールバー３０２ａ上のカーソル３０２ｂをスクロールバー３０２ａ上で位置Ａから位置Ｂまで移動させる更新情報を生成する。
ステップＳＴ１４およびステップＳＴ１５として、地図表示制御部１０２および簡易図表示制御部１０３は、表示情報更新部１０５が生成した更新情報に基づいて、地図表示領域３０１に表示された地図情報３０１ａおよび案内経路の情報３０１ｂ、簡易図表示領域３０２に表示されたスクロールバー３０２ａ上のカーソル３０２ｂの表示位置を更新して表示させる制御情報を生成する。
【００３４】
一方、ステップＳＴ７として、操作情報取得部１０４がカーソル３０２ｂを移動させるユーザ操作が入力されないと判定すると（ステップＳＴ７；ＮＯ）、ステップＳＴ１２として、表示情報更新部１０５は、ナビゲーション情報取得部１０１が取得する移動体の現在位置３０１ｃに基づいて、地図表示領域３０１に表示された地図情報３０１ａを案内経路に沿って表示させる更新情報を生成する。
また、ステップＳＴ１３として、表示情報更新部１０５は、ナビゲーション情報取得部１０１が取得する移動体の現在位置３０１ｃに基づいて、簡易図表示領域３０２に表示されたカーソル３０２ｂをスクロールバー３０２ａ上で移動させる更新情報を生成する。
【００３５】
ステップＳＴ１４およびステップＳＴ１５として、地図表示制御部１０２および簡易図表示制御部１０３は、表示情報更新部１０５が生成した更新情報に基づいて、地図表示領域３０１に表示された地図情報３０１ａおよび案内経路の情報３０１ｂ、簡易図表示領域３０２に表示されたスクロールバー３０２ａ上のカーソル３０２ｂの表示位置を更新して表示させる制御情報を生成する。
【００３６】
上述した処理により、図４Ｂに示すようにカーソル３０２ｂを位置Ａから位置Ｂに移動させるユーザ操作が入力されると、当該ユーザ操作に連動して、位置Ａに相当する地図情報から位置Ｂに相当する地図情報までが、案内経路に沿ってスクロール表示される。即ち、常に案内経路の情報３０１ｂがディスプレイ３００の地図表示領域３０１に表示されながら、地図情報３０１ａのスクロール表示が行われる。これにより、従来のように、地図の縮尺を変更する操作、あるいはタッチパネルに表示された地図上で案内経路に沿って繰り返し行われるタッチ操作が不要となり、案内経路を地図上で確認するための操作が容易になる。また、従来の地図の縮尺を変更する操作、あるいはタッチパネルに表示された地図上で案内経路に沿って繰り返し行われるタッチ操作では、ディスプレイ上で案内経路を見失うことがあったが、実施の形態１の表示制御装置１００では、地図情報が案内経路に沿ってスクロール表示させるので、ユーザがディスプレイ３００上で案内経路の情報３０１ｂを見失うことがない。
【００３７】
図４Ｂでは、ユーザ操作は、スクロールバー３０２ａ上のカーソル３０２ｂを、指でタッチして移動させる場合を例に示したが、カーソル３０２ｂをユーザのタッチ以外の操作で移動させる構成としてもよい。
図５は、実施の形態１に係る表示制御装置１００のユーザ操作の他の入力例を示す図である。
図５の例では、スクロールバー３０２ａの始点と終点に、矢印アイコン３０２ｅ，３０２ｆを配置している。ユーザは、ディスプレイ３００上に表示された矢印アイコン３０２ｆを押下することにより、スクロールバー３０２ａ上のカーソル３０２ｂを矢印アイコン３０２ｆ側に移動させる。図５の４０１は、ディスプレイ３００へのタッチ操作により矢印アイコン３０２ｆを押下中のユーザの指を示したものである。
また、矢印アイコン３０２ｅ，３０２ｆの押下は、ディスプレイ３００上の入力受付装置４００であるタッチパネルを介した操作に限定されるものではなく、例えば車両のハンドルに設けられたリモコンを操作して矢印アイコン３０２ｅ，３０２ｆを押下する構成としてもよい。
このように、カーソル３０２ｂを移動させる操作は、ユーザが容易に入力を行うことができる方法であれば種々、適用可能である。
【００３８】
以上のように、この実施の形態１によれば、地図情報、案内経路の情報および移動体の現在位置情報に基づいて、表示画面の地図表示領域に地図情報および案内経路の情報を表示させる地図表示制御部１０２と、案内経路の情報に基づいて、ディスプレイ３００の簡易図表示領域に案内経路を直線状に示した簡易図を表示させる簡易図表示制御部１０３と、簡易図に対して、地図表示領域に表示された地図情報を移動させる操作が入力された場合に、当該操作に連動させて、地図表示領域に表示された地図情報を案内経路に沿ってスクロール表示させる更新情報を生成する表示情報更新部１０５とを備え、地図表示制御部１０２は、表示情報更新部１０５が生成した更新情報に基づいて、地図表示領域に表示された地図情報の表示を更新して表示させるように構成したので、スクロールバー上のカーソルを操作することにより、表示された地図を案内経路に沿ってスクロールさせることができる。
【００３９】
また、この実施の形態１によれば、地図表示領域に表示された地図情報を移動させる操作に連動させて、地図表示領域に表示された地図情報を案内経路に沿ってスクロール表示させる更新情報を生成するように構成したので、カーソルの移動に連動して、案内経路に沿って地図をスクロール表示することができる。これにより、ユーザがディスプレイ３００上で案内経路を見失うことがなく、出発地から目的地までの案内経路をカーソルの移動操作のみによって、地図上で確認することができる。
【００４０】
実施の形態２．
実施の形態２では、簡易図表示領域に交通情報、気象情報および周辺情報等の案内経路に関する付帯情報を表示する構成を示す。
図６は、実施の形態２に係る表示制御装置１００ａの構成を示すブロック図である。実施の形態２に係る表示制御装置１００ａは、図１に示した実施の形態１の表示制御装置１００に対して情報取得部１０６が追加され、ナビゲーション情報取得部１０１、簡易図表示制御部１０３、および操作情報取得部１０４が、ナビゲーション情報取得部１０１ａ、簡易図表示制御部１０３ａ、および操作情報取得部１０４ａに変更された構成である。図６において図１と同一または相当する部分は、同一の符号を付し説明を省略する。
【００４１】
ナビゲーション情報取得部１０１ａは、設定された案内経路の情報として、設定された案内経路の出発地と目的地を示す情報、出発地と目的地とを結ぶ経路がノードおよびリンク等によって表現された情報に加えて、設定された案内経路の経由地を示す情報、目的地への到着予定時刻、および経由地の通過予定時刻等の情報を取得する。
【００４２】
情報取得部１０６は、ナビゲーション情報取得部１０１ａが取得した情報に基づいて、簡易図表示領域に表示する案内経路に関する付帯情報として、案内経路の交通情報および気象情報を取得する。情報取得部１０６は表示制御装置１００ａの外部から定期的に案内経路の交通情報および気象情報を取得し、簡易図表示制御部１０３ａは取得された情報を用いて簡易図表示領域の表示を更新しているものとする。
【００４３】
より詳細には、情報取得部１０６は、案内経路の位置情報、目的地への到着予定時刻、および経由地の通過予定時刻等を参照して、案内経路の渋滞情報、事故情報、移動体が該当する地点を通過する際の通行止めの情報等の交通情報を取得する。また、情報取得部１０６は、例えば渋滞の原因、渋滞が発生している地点および渋滞が発生している区間等、渋滞情報、事故情報、通行止めの情報等に関する詳細な情報も取得する。
また、情報取得部１０６は、案内経路の位置情報を参照して該当する地点の現在の気象情報を取得する、あるいは案内経路の位置情報、目的地への到着予定時刻、および経由地の通過予定時刻等を参照して、移動体が該当する地点を通過する際に予測される気象情報を取得する。また、情報取得部１０６は、例えば降雪により通行止めが生じている区間、チェーン規制が掛けられている区間等、気象情報に関する詳細な情報も取得する。
【００４４】
簡易図表示制御部１０３ａは、情報取得部１０６が取得した案内経路の交通情報および気象情報を示すマーカを、ディスプレイ３００の簡易図表示領域内の対応する位置に表示させる制御情報を生成する。簡易図表示制御部１０３ａが生成した制御情報に基づいたディスプレイ３００の表示例を図７Ａおよび図７Ｂに示している。
図７Ａは、簡易図表示領域３０２のスクロールバー３０２ａに渋滞を示すマーカ３０３を重ねて表示した場合を示している。
簡易図表示制御部１０３ａは、情報取得部１０６が取得した渋滞を示す交通情報を参照し、当該渋滞が発生している区間の位置情報と、スクロールバー３０２ａに付加された位置情報との対応付けを行い、スクロールバー３０２ａ上の渋滞が発生している区間に渋滞を示すマーカ３０３を表示するための制御情報を生成する。
【００４５】
図７Ｂは、簡易図表示領域３０２のスクロールバー３０２ａの上部に降雪を示すマーカ３０４を表示した場合を示している。
簡易図表示制御部１０３ａは、情報取得部１０６が取得した降雪を示す気象情報を参照し、降雪区間の位置情報と、スクロールバー３０２ａに付加された位置情報との対応付けを行い、スクロールバー３０２ａ上の降雪が発生している区間の上部に降雪を示すマーカ３０４を表示するための制御情報を生成する。なお、降雪を示すマーカ３０４の表示位置は、スクロールバー３０２ａの上部に限定されるものではなく、任意に設定可能である。
【００４６】
操作情報取得部１０４ａは、実施の形態１で示した構成に加えて、入力受付装置４００等を介して、交通情報または気象情報を示すマーカを選択するユーザ操作を受け付ける。操作情報取得部１０４ａは、ユーザ操作を受け付けたマーカに割り当てられた情報の選択を簡易図表示制御部１０３ａに通知する。簡易図表示制御部１０３ａは、操作情報取得部１０４ａから通知された情報の選択に基づいて、選択された情報に関する詳細情報を表示させるための制御情報を生成する。
【００４７】
簡易図表示制御部１０３ａが生成した制御情報に基づいたディスプレイ３００の表示例を図８Ａおよび図８Ｂに示している。
図８Ａは、簡易図表示領域３０２のスクロールバー３０２ａに重ねて表示した渋滞を示すマーカ３０３を押下するユーザ操作（図８Ａの４０２は、ディスプレイ３００へのタッチ操作によりマーカ３０３を押下中のユーザの指を示したものである）が入力された場合を示している。
図８Ａに示すように、操作情報取得部１０４ａが渋滞を示すマーカ３０３を押下するユーザ操作を受け付けると、簡易図表示制御部１０３ａは、情報取得部１０６から入力された情報を参照して該当する地点の渋滞情報に関連する詳細な情報を取得し、表示エリア５０１内に表示させる。さらに、簡易図表示制御部１０３ａは、該当する地点の渋滞を回避する経路の検索を要求するアイコン５０１ａを表示エリア５０１内に表示させる。操作情報取得部１０４ａが当該アイコン５０１ａを押下するユーザ操作を受け付けると、外部のナビゲーション装置２００に対して該当する地点の渋滞を回避した経路の検索を指示する。
【００４８】
図８Ｂは、簡易図表示領域３０２のスクロールバー３０２ａの上部に表示した降雪を示すマーカ３０４を押下するユーザ操作（図８Ｂの４０３は、ディスプレイ３００へのタッチ操作によりマーカ３０４を押下中のユーザの指を示したものである）が入力された場合を示している。
図８Ｂに示すように、操作情報取得部１０４ａが降雪を示すマーカ３０４を押下するユーザ操作を受け付けると、簡易図表示制御部１０３ａは、情報取得部１０６から入力された情報を参照して該当する地点の降雪情報に関連する詳細な情報を取得し、表示エリア５０２内に表示させる。さらに、簡易図表示制御部１０３ａは、該当する地点の降雪により通行止めとなった区間を回避する経路の検索を要求するアイコン５０２ａを表示エリア５０２内に表示する。操作情報取得部１０４ａが当該アイコン５０２ａを押下するユーザ操作を受け付けると、外部のナビゲーション装置２００に対して該当する地点の降雪により通行止めとなった区間を回避した経路の検索を指示する。
【００４９】
次に、実施の形態２に係る表示制御装置１００ａの動作について説明する。
図９Ａおよび図９Ｂは、実施の形態２に係る表示制御装置１００ａの動作を示すフローチャートである。図９Ａおよび図９Ｂでは、図３で示した実施の形態１の表示制御装置１００のフローチャートと同一のステップについては、同一の符号を付して説明を省略する。
ステップＳＴ２において案内経路が設定されていると判定されると（ステップＳＴ２；ＹＥＳ）、ナビゲーション情報取得部１０１ａは、取得した地図情報、案内経路の情報、および移動体の現在位置を示す情報を地図表示制御部１０２に出力し、案内経路の情報、および移動体の現在位置を示す情報を簡易図表示制御部１０３に出力し、さらに案内経路の情報を情報取得部１０６に出力する（ステップＳＴ２１）。情報取得部１０６は、ステップＳＴ２１で出力された案内経路の情報に基づいて、案内経路の交通情報および気象情報を取得する（ステップＳＴ２２）。ステップＳＴ２２では、案内経路の交通情報および気象情報を取得する場合を例に示したが、どちらか一方の情報のみを取得してもよい。
【００５０】
その後、フローチャートのステップＳＴ４からステップＳＴ６の処理が行われると、簡易図表示制御部１０３ａは、ステップＳＴ２２で取得した案内経路の交通情報および気象情報を簡易図表示領域内の対応する位置に表示するための制御情報を生成する（ステップＳＴ２３）。ステップＳＴ２３で生成された制御情報に基づいて、ディスプレイ３００の簡易図表示領域には、案内経路の交通情報および気象情報が表示される。
【００５１】
操作情報取得部１０４ａは、入力受付装置４００を介してユーザ操作が入力されたか否か判定を行う（ステップＳＴ７ａ）。ユーザ操作が入力されている場合（ステップＳＴ７ａ；ＹＥＳ）、さらに操作情報取得部１０４ａは、ユーザ操作がカーソルを移動させる操作であるか、案内経路の交通情報または気象情報を示すマーカを選択する操作であるか判定を行う（ステップＳＴ２４）。ユーザ操作がカーソルを移動させる操作であった場合（ステップＳＴ２４；カーソル移動）、ステップＳＴ８の処理に進む。
【００５２】
一方、ユーザ操作が案内経路の交通情報または気象情報を示すマーカを選択する操作であった場合（ステップＳＴ２４；選択操作）、操作情報取得部１０４ａはユーザ操作を受け付けた領域に割り当てられた情報の選択を簡易図表示制御部１０３ａに通知する（ステップＳＴ２５）。簡易図表示制御部１０３ａは、ステップＳＴ２５で通知された情報の選択に基づいて、ステップＳＴ２２で取得された案内経路の交通情報または気象情報を用いて、選択された情報に関する詳細情報を生成する（ステップＳＴ２６）。簡易図表示制御部１０３ａは、ステップＳＴ２６で生成した詳細情報を表示させるための制御情報を生成する（ステップＳＴ２７）。
【００５３】
操作情報取得部１０４ａは、入力受付装置４００を介して回避経路の検索を指示するユーザ操作が入力されたか否か判定を行う（ステップＳＴ２８）。回避経路の検索を指示するユーザ操作が入力された場合（ステップＳＴ２８；ＹＥＳ）、操作情報取得部１０４ａは外部装置であるナビゲーション装置２００に対して、回避経路の検索を指示し（ステップＳＴ２９）、ステップＳＴ１の処理に戻る。一方、例えば所定時間回避経路の検索を指示するユーザ操作が入力されない場合（ステップＳＴ２８；ＮＯ）、簡易図表示制御部１０３ａは詳細情報等の表示を消去して、ステップＳＴ７の処理に戻る。
【００５４】
上述した説明では、案内経路の交通情報および気象情報をスクロールバーの対応する位置に表示させる構成を示したが、表示させる情報は案内経路の交通情報および気象情報に限定されるものではない。例えば、情報取得部１０６は、ナビゲーション情報取得部１０１ａが取得した地図情報を参照して、案内経路に含まれる有料道路の区間を示す情報、有料道路内のサービスエリアの位置情報等を取得してもよい。その場合、情報取得部１０６は、例えばサービスエリアの店舗情報、駐車領域の情報等、周辺情報に関する詳細な情報も取得して、簡易図表示領域への表示に利用することもできる。
【００５５】
また、上述した説明では、情報取得部１０６が取得した情報を、簡易図表示領域に表示されたスクロールバーの対応する位置に表示させる構成を示した。当該構成に加えて、あるいは当該構成に替えて、情報取得部１０６が取得した情報のうちユーザが指定した情報のみを簡易図表示領域に表示されたスクロールバーの対応する位置に表示させる構成としてもよい。情報取得部１０６が取得した情報のうちユーザが指定した情報のみを簡易図表示領域に表示する構成例を図１０に示している。
図１０は、実施の形態２に係る表示制御装置１００ｂの構成例を示すブロック図である。
図１０の例では、図６で示した表示制御装置１００ａに対して音声情報取得部１０７を追加して設けている。また、入力受付装置４００として、特にタッチパネル４００ａおよびマイク５００を設けている。
【００５６】
音声情報取得部１０７は、例えばマイク５００に入力されたユーザの音声から音声情報を取得する。音声情報取得部１０７は音声情報を参照し、ユーザによって指定された情報を簡易図表示制御部１０３ａに出力する。簡易図表示制御部１０３ａは、情報取得部１０６が取得した情報のうち、ユーザによって指定された情報を、簡易図表示領域内の対応する位置に表示させる制御情報を生成する。
具体例を挙げて説明する。例えばユーザがマイク５００に向かって「目的地の天気」と発話すると、音声情報取得部１０７は、「目的地の天気」との音声情報を参照して、指定された目的地付近の気象情報を表示するように簡易図表示制御部１０３ａに指示する。簡易図表示制御部１０３ａは、情報取得部１０６が取得した情報から、目的地の現在の気象情報を選択する。簡易図表示制御部１０３ａは、スクロールバーの位置情報を参照し、目的地に対応した領域に選択した気象情報を示すマーカを表示させる制御情報を生成する。
【００５７】
次に、表示制御装置１００ａ，１００ｂのハードウェア構成例について、図２を参照しながら説明する。なお、実施の形態１と同一の構成の説明は省略する。
表示制御装置１００ａにおける情報取得部１０６、ナビゲーション情報取得部１０１ａ、簡易図表示制御部１０３ａおよび操作情報取得部１０４ａは、処理回路により実現される。また、表示制御装置１００ｂにおける音声情報取得部１０７は、処理回路により実現される。処理回路は、機能が専用のハードウェアで実行されてもよいし、ソフトウェアで実行されてもよい。機能がソフトウェアで実行される場合、処理回路は、図２で示したメモリ１２０に格納されるプログラムを実行するＣＰＵ１１０である。
【００５８】
以上のように、この実施の形態２によれば、案内経路の情報に基づいて、案内経路に関する付帯情報を取得する情報取得部１０６を備え、簡易図表示制御部１０３ａが、簡易図に付加した案内経路の位置情報を参照して、情報取得部１０６が取得した案内経路に関する付帯情報を、簡易図の対応する地点に表示させるように構成したので、目的地までの状況を容易に把握することができる。また、簡易図表示領域に表示された情報を示すマーカを選択することにより、該当する地点の情報の詳細を把握することができる。
【００５９】
また、この実施の形態２によれば、簡易図表示制御部１０３ａが簡易図の対応する地点に表示させた案内経路に関する付帯情報を選択する操作に応じて、選択された案内経路に関する付帯情報の詳細を表示させるように構成したので、情報の詳細を確認した上で、回避経路を容易に検索させることができる。
【００６０】
なお、上述した実施の形態１および実施の形態２では、設定された出発地から目的地までの案内経路全体を示すスクロールバーを生成する場合を例に示したが、スクロールバーの始点および終点は、出発地と目的地に限定されるものではなく、経路上の任意の地点、経由地、または移動体の現在位置等が設定可能である。例えば、移動体の現在位置を始点とし、目的地を終点とするスクロールバーを生成してもよいし、経路上の地点Ａを始点とし、地点Ｂを終点とするスクロールバーを生成してもよい。なお、移動体の現在位置を始点とした場合には、移動体の現在位置の移動に伴って、スクロールバーの始点も変化する。さらに、スクロールバーの始点および終点をユーザ指定するインタフェースを備えて構成してもよい。
【００６１】
実施の形態３．
実施の形態３では、上述した実施の形態２の表示制御装置を用いた表示制御システムの構成を示す。
図１１は、実施の形態３に係る表示制御システムの構成を示すブロック図である。
表示制御システムは、表示制御装置１００ｃと、サーバ装置６００で構成されている。
まず、表示制御装置１００ｃの構成について説明する。実施の形態３に係る表示制御システムの表示制御装置１００ｃは、図６に示した実施の形態２の表示制御装置１００ａに対して、情報取得要求送信部１０８および検索情報受信部１０９が追加され、情報取得部１０６が情報取得部１０６ａに変更された構成である。図１１において図６と同一または相当する部分は、同一の符号を付し説明を省略する。
【００６２】
情報取得要求送信部１０８は、情報取得部１０６ａにおいて簡易図表示領域に表示すると決定された情報の取得要求をサーバ装置６００に送信する。
検索情報受信部１０９は、情報取得要求送信部１０８が送信した情報の取得要求に対してサーバ装置６００内で検索が行われた結果である検索情報を受信する。検索情報受信部１０９は、受信した検索情報を情報取得部１０６ａに出力する。検索情報は、実施の形態２で示した案内経路の交通情報、気象情報および周辺情報等に相当する。情報取得部１０６ａは、情報の取得を要求する取得要求を生成する。また、情報取得部１０６ａは、受信した検索情報を用いて、実施の形態２と同一の処理を行う。
【００６３】
次に、サーバ装置６００の構成について説明する。
サーバ装置６００は、情報取得要求受信部６０１、情報検索部６０２、交通情報データベース６０３、気象情報データベース６０４、周辺情報データベース６０５および検索情報送信部６０６を備えて構成される。
情報取得要求受信部６０１は、表示制御装置１００ｂから送信された情報の取得要求を受信する。
情報検索部６０２は、情報取得要求受信部６０１が受信した取得要求に応じて、交通情報データベース６０３、気象情報データベース６０４および周辺情報データベース６０５の少なくとも１つのデータベースを参照して、情報の検索を行う。
【００６４】
交通情報データベース６０３は、経路の渋滞情報、事故情報、通行止めの情報等の交通情報を格納するデータベースである。経路の渋滞情報には、例えば渋滞の原因、渋滞が発生している区間等の情報が含まれている。同様に事故情報および通行止めの情報にも詳細を示す情報が含まれている。
気象情報データベース６０４は、代表的な地点、あるいは各地域の現在の気象情報、および代表的な地点、あるいは各地域について予測される気象情報を格納するデータベースである。
周辺情報データベース６０５は、経路の情報および経路周辺の情報を格納するデータベースである。経路の情報には、高速道路等の有料道路の区間を示す情報、当該有料道路の利用料金等の情報が含まれる。また、経路周辺の情報には、サービスエリアの位置情報、サービスエリアの店舗および駐車領域の情報等が含まれる。
検索情報送信部６０６は、情報検索部６０２が検索した情報を、表示制御装置１００ｂに送信する。
【００６５】
次に、表示制御システムのハードウェア構成例を説明する。
図１２Ａは表示制御装置１００ｃのハードウェア構成例を示す図であり、図１２Ｂはサーバ装置６００のハードウェア構成例を示す図である。
まず、表示制御装置１００ｃのハードウェア構成例について、図１２Ａを参照しながら説明する。図１２Ａにおいて図２と同一または相当する部分は、同一の符号を付し説明を省略する。
表示制御装置１００ｃにおける情報取得要求送信部１０８および検索情報受信部１０９は、サーバ装置６００との間で通信を行う通信装置１３０である。表示制御装置１００ｃにおけるナビゲーション情報取得部１０１、地図表示制御部１０２、簡易図表示制御部１０３、操作情報取得部１０４、表示情報更新部１０５および情報取得部１０６ａは、実施の形態２と同様に処理回路により実現される。処理回路が専用のハードウェアである場合、処理回路は、例えば、単一回路、複合回路、プログラム化したプロセッサ、並列プログラム化したプロセッサ、ＡＳＩＣ，ＦＰＧＡ、またはこれらを組み合わせたものが該当する。処理回路がＣＰＵの場合、処理回路は図１２Ａに示すメモリ１２０に格納されるプログラムを実行するＣＰＵ１１０である。
【００６６】
次に、サーバ装置６００のハードウェア構成例について、図１２Ｂを参照しながら説明する。
サーバ装置６００における情報取得要求受信部６０１および検索情報送信部６０６は、表示制御装置１００ｃとの間で通信を行う通信装置６３０である。サーバ装置６００における情報検索部６０２は、処理回路により実現される。即ち、情報検索部６０２は、情報取得要求に応じた情報を検索する処理を備える。処理回路が専用のハードウェアである場合、処理回路は、例えば、単一回路、複合回路、プログラム化したプロセッサ、並列プログラム化したプロセッサ、ＡＳＩＣ，ＦＰＧＡ、またはこれらを組み合わせたものが該当する。
【００６７】
処理回路がＣＰＵの場合、処理回路は図１２Ｂに示すメモリ６２０に格納されるプログラムを実行するＣＰＵ６１０である。情報検索部６０２の機能は、ソフトウェア、ファームウェア、またはソフトウェアとファームウェアとの組み合わせにより実現される。ソフトウェアまたはファームウェアはプログラムとして記述され、メモリ６２０に格納される。ＣＰＵ６１０は、メモリ６２０に記憶されたプログラムを読み出して実行することにより、情報検索部６０２の機能を実現する。即ち、情報検索部６０２は、ＣＰＵ６１０により実行されるときに、後述する図１３に示す各ステップが結果的に実行されることになるプログラムを格納するためのメモリ６２０を備える。また、これらのプログラムは、情報検索部６０２の手順または方法をコンピュータに実行させるものであるともいえる。
【００６８】
図１３は、実施の形態３に係る表示制御システムのサーバ装置６００の動作示すフローチャートである。
サーバ装置６００の情報取得要求受信部６０１が、表示制御装置１００ｂから送信された情報取得要求を受信すると（ステップＳＴ３１）、情報検索部６０２は受信した情報取得要求に応じて交通情報データベース６０３、気象情報データベース６０４および周辺情報データベース６０５の少なくとも１つのデータベースを参照して、情報の検索を行う（ステップＳＴ３２）。情報検索部６０２はステップＳＴ３２で検索した情報を、検索情報送信部６０６を介して、表示制御装置１００に送信する（ステップＳＴ３３）。その後、フローチャートはステップＳＴ３１の処理に戻り、上述した処理を繰り返す。
【００６９】
図１１では、交通情報データベース６０３、気象情報データベース６０４および周辺情報データベース６０５を備える構成を示したが、これらのデータベースに限定されるものではなく、表示制御装置１００ｂが簡易図表示領域に表示可能な情報のデータベースを種々備えて構成可能である。
【００７０】
以上のように、この実施の形態３によれば、情報取得部１０６ａが案内経路に関する付帯情報の取得要求を生成し、生成された取得要求をサーバ装置６００に送信する情報取得要求送信部１０８と、情報取得要求送信部１０８が送信した取得要求に基づいて、サーバ装置６００で検索された検索情報を受信する検索情報受信部１０９とを備えるように構成したので、取得要求に基づいてデータベースを参照して検索された種々の情報を取得することができ、案内経路に関して有用な情報を効率良く取得することができる。これにより、表示制御装置において簡易図表示領域に種々の情報を表示することができる。
【００７１】
なお、本発明はその発明の範囲内において、各実施の形態の自由な組み合わせ、各実施の形態の任意の構成要素の変形、または各実施の形態の任意の構成要素の省略が可能である。
【符号の説明】
【００７２】
１００，１００ａ，１００ｂ  表示制御装置、１０１，１０１ａ  ナビゲーション情報取得部、１０２  地図表示制御部、１０３，１０３ａ  簡易図表示制御部、１０４，１０４ａ  操作情報取得部、１０５  表示情報更新部、１０６，１０６ａ  情報取得部、１０７  音声情報取得部、１０８  情報取得要求送信部、１０９  検索情報受信部、２００  ナビゲーション装置、３００  ディスプレイ、４００  入力受付装置、４００ａ  タッチパネル、５００  マイク、６００  サーバ装置、６０１  情報取得要求受信部、６０２  情報検索部、６０３  交通情報データベース、６０４  気象情報データベース、６０５  周辺情報データベース、６０６  検索情報送信部。
【図１】
2017181547.tif 000003
【図２】
2017181547.tif 000004
【図３】
2017181547.tif 000005
【図４】
2017181547.tif 000006
【図５】
2017181547.tif 000007
【図６】
2017181547.tif 000008
【図７】
2017181547.tif 000009
【図８】
2017181547.tif 000010
【図９Ａ】
2017181547.tif 000011
【図９Ｂ】
2017181547.tif 000012
【図１０】
2017181547.tif 000013
【図１１】
2017181547.tif 000014
【図１２】
2017181547.tif 000015
【図１３】
2017181547.tif 000016